(57)【要約】封止用リング（１２）は、流体フィルターアセンブリ（２４）に含まれているフィルター保持器（１４）に係止されている。インサート成形処理を用いて封止用リング（１２）はフィルター保持器（１４）に係止される。
2005524794.tif 000002
【特許請求の範囲】
【請求項１】
流体フィルターアセンブリであって、
フィルターチャンバーと前記フィルターチャンバーへの開口部とを含んで形成されているフィルターハウジングと、
前記フィルターチャンバーに設置されるフィルターモジュールと、
前記フィルターモジュールを前記フィルターチャンバー内で保持するように前記フィルターハウジングに前記開口部で結合される閉止体と、
を備え、
前記閉止体は、前記フィルターハウジングに結合しているフィルター保持器を含み、少なくとも一つの接続部開口と前記フィルター保持器に結合されている封止用リングとを含んで形成されて、
前記封止用リングは、前記フィルター保持器の一方の側に配置されて前記フィルターモジュールに上向きに対向している上向き環状封止用ストリップと、前記フィルター保持器の反対側に配置されて前記フィルターモジュールとは反対の方を向いている下向き環状封止用ストリップと、前記上向き及び下向き環状ストリップを前記フィルター保持器に固定すべく前記フィルター保持器に形成されている各々の接続部開口を通って延長するように設けられている接続部と、を含む。
【請求項２】
請求項１に記載のフィルターアセンブリであって、
前記封止用リングはベル形横断面形状を有する。
【請求項３】
請求項１に記載のフィルターアセンブリであって、
前記フィルター保持器は、各々の前記接続部開口と各々の前記接続部開口の下にあってそれらと連結している環状チャネルとを含んで形成されているリングマウントを含み、
前記接続部は、前記環状チャネルに配置されて前記下向き環状封止用ストリップと結合する環状下部部分と、接続部リンクを一組備える上部部分と、を含み、
各々の前記接続部リンクは、前記リングマウントに形成されている前記接続部開口の一つを通って延長して、前記接続部の前記環状下部部分を前記上向き環状封止用ストリップに連結させる。
【請求項４】
請求項３に記載のフィルターアセンブリであって、
前記リングマウントは、前記環状チャネルの境界を規定する環状天井壁（annular ceiling wall）を含み、複数の円周上に離間している前記接続部開口を含むように形成されており、
複数の円周上に離間している各々の前記接続部開口は前記接続部リンクの一つを含む。
【請求項５】
請求項４に記載のフィルターアセンブリであって、
前記リングマウントはさらに、前記環状天井壁に結合している環状内側壁と、前記環状天井壁に結合するとともに前記環状外側壁との間に前記環状チャネルを形成すべくこれを囲むように配置されてその内部に前記接続部の前記環状下部部分を収容する環状外側壁とを含み、
前記下向き環状封止用ストリップは、前記環状内側壁及び外側壁の下であってその間に形成される前記環状チャネルの外側に配置される。
【請求項６】
請求項３に記載のフィルターアセンブリであって、
前記フィルター保持器は、前記フィルターチャンバーの前記開口部で前記フィルターハウジングに結合されている半径方向外側環状ハウジングマウントと、前記フィルターチャンバーにオイルを流入させるように配置された少なくとも一つのオイル入口開口を含んで形成される半径方向内側部分と、を更に含み、
前記リングマウントは、前記半径方向外側環状ハウジングマウントと前記半径方向内側部分との間に位置するように配置される。
【請求項７】
請求項６に記載のフィルターアセンブリであって、
前記閉止体は、前記フィルターモジュールと前記フィルター保持器との間の前記フィルターチャンバーに配置される支持プレートを更に含み、
前記支持プレートは、前記フィルター保持器の前記半径方向内側部分に結合している内側保持器マウントと、前記内側保持器マウントを囲むように配置されている半径方向外側保持器マウントと、前記外側及び内側保持器マウントの間に設置されて前記上向き環状封止用ストリップと係合するように配置されてその間に気密結合（sealed connection）を確立させる環状シートと、を含む。
【請求項８】
請求項７に記載のフィルターアセンブリであって、
前記フィルター保持器は、前記半径方向外側環状ハウジングマウントと前記リングマウントとの間に設置される外側支持プレート支持体（outer bearing plate support）を更に含み、
前記外側支持プレート支持体は、前記支持プレートの前記半径方向外側保持器マウントと係合するように配置される。
【請求項９】
請求項３に記載のフィルターアセンブリであって、
各々の前記接続部リンクは、前記接続部の前記環状下部部分の幅より狭い幅を有する。
【請求項１０】
請求項９に記載のフィルターアセンブリであって、
前記上向き環状封止用ストリップの幅と前記下向き環状封止用ストリップの幅とは、前記上向き環状封止用ストリップの幅、各々の前記接続部リンクの幅、及び前記接続部の前記環状下部部分の幅より広い。
【請求項１１】
請求項１に記載のフィルターアセンブリであって、
前記閉止体は、前記フィルターモジュールと前記フィルター保持器との間に配置されて、前記上向き環状封止用ストリップと係合してその間に気密結合を確立させる支持プレートを更に含む。
【請求項１２】
請求項１１に記載のフィルターアセンブリであって、
前記支持プレートは、前記フィルターモジュールで濾過されたオイルを前記フィルターチャンバーから排出するように配置されるオイル出口ポート（oil outlet port）と、オイルを前記フィルターチャンバーに流入させ前記フィルターモジュールを通って流れるように配置される複数のオイル入口ポートと、を含んで形成されており、
前記支持プレートは前記オイル入口ポートを囲むように配置されている環状シートを含み、
前記フィルター保持器は、複数の入口フロー案内スリーブ（inlet flow conductor sleeves）を含むように形成される半径方向内側部分を含み、
各々の入口フロー案内スリーブは、前記支持プレートに形成される前記オイル入口ポートの一つの中へ延伸するように配置されて、前記支持プレートを前記フィルター保持器の固定位置に係止すべく前記支持プレートと前記フィルター保持器との間に締りばめ結合を確立させて、
各々の前記入口フロー案内スリーブは、前記オイル入口ポートを通して前記フィルターチャンバーにオイルを流入させるべく、オイルを通過させて案内するように形成され、
前記封止用リングは、前記フィルター保持器の固定位置に係止されて、前記上向き環状封止用ストリップを前記支持プレートに含まれる前記環状シートに係合させる。
【請求項１３】
請求項１２に記載のフィルターアセンブリであって、
前記支持プレートは、前記環状シートを囲むように配置される半径方向外側保持器マウントを更に含み、
前記フィルター保持器は、前記フィルターチャンバーへの前記開口において前記フィルターハウジングに結合している半径方向外側環状ハウジングマウントと、前記封止用リングと前記半径方向外側環状ハウジングマウントとの間に設置されている外側支持プレート支持体とを含み、
前記外側支持プレートは、前記支持プレートの前記半径方向外側マウントと係合するように配置される。
【請求項１４】
流体フィルターアセンブリであって、
フィルターチャンバーと前記フィルターチャンバーへの開口とを含んで形成されるフィルターハウジングと、
前記フィルターチャンバーに設置されるフィルターモジュールと、
オイルを前記フィルターチャンバーに流入させる中心オイル出口ポート（central oil outlet port）を含んで形成される支持プレートと、前記中心オイル出口ポートを囲むように配置されて前記フィルターチャンバーからオイルを排出させるオイル入口ポートの一続きと、前記一連のオイル入口ポートを囲むように配置される環状シートと、
プラスチック材料から成形される封止用リングと、
前記フィルターハウジングに結合している半径方向外側部分と、前記支持プレートに結合して前記支持プレートを前記フィルターチャンバーの前記開口で前記フィルターハウジングに対して固定位置に固定するような半径方向内側部分と、を含むフィルター保持器と、
を備え、
前記フィルター保持器は、プラスチック材料を金型キャビティで成形して前記封止用リングを製作する間、前記フィルター保持器の前記半径方向外側及び内側部分に対して前記封止用リングを所定位置に係止する手段を更に含み、前記封止用リングを前記支持プレートに含まれる前記環状シートと係合するように支持して、前記フィルター保持器の前記環状内側部分を前記支持プレートと結合することにより前記支持プレートと前記封止用リングとの間に気密結合を確立させる。
【請求項１５】
請求項１４に記載のフィルターアセンブリであって、
前記固定手段は、環状内側壁と、前記環状内側壁を囲むように配置される環状外側壁と、前記環状内側壁と外側壁とをその間に環状チャネルを規定するように連結すべく配置される環状天井壁と、を含み、
前記環状天井壁は前記環状チャネル内に開く少なくとも一つの接続部開口を含んで形成されて、前記封止用リングは前記環状チャネルと少なくとも一つの前記接続部開口とを占めるように配置される接続部を含む。
【請求項１６】
請求項１５に記載のフィルターアセンブリであって、
前記封止用リングは、少なくとも一つの前記接続部開口に現存の前記接続部の上部部分に結合されて、前記支持プレートに含まれる前記環状シートに係合するように配置される上向き環状封止用ストリップを更に含む。
【請求項１７】
請求項１６に記載のフィルターアセンブリであって、
前記封止用リングは、前記環状チャネルに現存している前記接続部の環状下部部分に結合されて、前記フィルターハウジングと関連しているエンジンブロックの一部と係合するのに適応している下向き環状封止用ストリップを更に含む。
【請求項１８】
請求項１５に記載のフィルターアセンブリであって、
前記環状内側壁は、前記フィルター保持器の前記半径方向内側部分に結合されて、前記フィルター保持器の前記半径方向内側部分を囲むように配置される。
【請求項１９】
請求項１４に記載のフィルターアセンブリであって、
前記固定手段は前記フィルター保持器の前記半径方向外側部分と内側部分との間に配置されて、
前記フィルター保持器は、前記半径方向外側部分の間に配置される外側支持プレート支持体を更に含み、前記固定手段は前記支持プレートの半径方向外側周辺部と係合するように配置される。
【請求項２０】
エンジンブロックに係合されるのに適応している封止用リングを流体フィルターに固定する方法であって、前記方法の工程では、
フィルターチャンバーと前記フィルターチャンバーの開口部とを含んで形成されるフィルターハウジングと、前記フィルターチャンバーに設置されるフィルターモジュールと、前記フィルターチャンバーにその開口で設置されて前記フィルターモジュールを前記フィルターチャンバーから前記開口を通じて脱出することを阻止する閉止体であって、前記フィルターハウジングに結合されるのに適応していて前記フィルターモジュールを前記フィルターチャンバーに保持するフィルター保持器を含む閉止体と、を備える流体フィルターを設け、
プラスチック材料を前記フィルター保持器の部分を収容する封止用リング金型キャビティに注入して、前記フィルター保持器を前記プラスチック材料でオーバーモールドして、前記フィルター保持器に留められる封止用リングを製作し、
注入工程後に前記フィルター保持器を前記フィルターハウジングに結合して、前記フィルターモジュールを前記フィルターチャンバー内に保持して、前記フィルター保持器に係止される前記封止用リングの部分を前記フィルターチャンバーの外に設置して、その部分はエンジンブロックと係合するのに適応してその間に気密結合を確立させる。
【発明の詳細な説明】
【技術分野】
【０００１】
本発明は、流体フィルターに関し、特に、自動車に使用されるオイルフィルターアセンブリに関する。更に特には、本開示はオイルフィルターアセンブリに含まれるエンジン封止用ガスケットに関する。
【背景技術】
【０００２】
オイルフィルターは、固定型または自動車搭載型内燃機関を通った潤滑油を浄化するために使用される。このようなオイルフィルターは、エンジンの作動中に作用して、燃料を燃焼すると発生する炭素沈積（carbon deposits）、エンジンの摩耗から発生する砕片、金属のエンジン部品の錆、及び他の固体夾雑物を潤滑油から分離する。エンジンメーカーは、エンジンオイルフィルターを定期的に交換することを規定する。他のフィルターは、燃料、冷却液、及び油圧油を濾過するために使用される。
【０００３】
封止用ガスケットは、エンジンブロックとエンジンブロックに装着されているオイルフィルターとの間に気密結合を確立させるために使用される。この気密結合は、オイルがエンジンブロックとエンジンブロックに装着されているオイルフィルターとの間で相互に流れているとき、オイルが周囲に漏れることを防止する。
【発明の開示】
【課題を解決するための手段】
【０００４】
本開示によると、流体フィルターアセンブリは、フィルターハウジングと、フィルターハウジングに設けられるフィルターチャンバーに設置されるフィルターモジュールと、フィルターハウジングに結合されて前記フィルターモジュールを前記フィルター保持器に保持する前記フィルター保持器と、を備える。封止用リングがフィルター保持器に係止されており、オイルフィルターアセンブリが自動車に搭載されている間に封止用リングがフィルター保持器から簡単に分離することがない。
【０００５】
本発明の更なる特徴は、現段階で知得している、本発明を実施するための最良の形態を例示する好適な実施例についての以下の詳細な説明を検討することにより、当業者にとって明白となるだろう。
【発明を実施するための最良の形態】
【０００６】
例示する実施例では、フィルター保持器は、環状チャネルと環状チャネル内へ開いている一連の接続部開口とを含んで形成されるリングマウントを含む。封止用リングは、フィルター保持器の一側面に配置されてフィルターモジュールに向かい上方に面する上向き環状封止用ストリップと、フィルター保持器の反対側に配置されてフィルターモジュールから離れるように下方に面する下向き環状封止用ストリップと、を含む。封止用リングは環状チャネルに設置されて各々の接続部開口を通って延伸するように配置される接続部を更に含み、上向き及び下向き環状封止用ストリップを連結させて封止用リングをフィルター保持器のリングマウントに係止する。
【０００７】
例示するプロセスでは、プラスチック材料がフィルター保持器を収容している封止用リング金型キャビティに注入されて、フィルター保持器をプラスチック材料でオーバーモールドして、フィルター保持器に係止される封止用リングを製作する。成形された封止用リングの部分は、オーバーモールド処理の間にフィルター保持器に形成されているチャネル及び開口を通って延伸して封止用リングをフィルター保持器に係止する。このように係止することで、自動車組立工場で流体フィルターアセンブリの処理または実装をする間に、封止用リングがフィルター保持器から外れてしまう可能性を少なくさせる。
【実施例】
【０００８】
流体フィルター閉止体１０は、例えば図１及び図４に示すように、フィルター保持器１４に係止される封止用リング１２を含む。図４に示すように、フィルター保持器１４はフィルターハウジング１６に結合されて、フィルターモジュール１８をフィルターハウジング１６に形成されるフィルターチャンバー２０に保持する。封止用リング１２は、例えば、「インサート成形」処理を用いてフィルター保持器１４に係止される。図４に提案されているように、フィルターハウジング１６、フィルターモジュール１８、及び流体フィルター閉止体１０を備えている流体フィルターアセンブリ２４がエンジンブロック２２を搭載すると、封止用リング１２はエンジンブロック２２と気密結合を確立させるように配置される。流体フィルターアセンブリ２４はオイルフィルターアセンブリを示しているとはいえ、本開示の範囲内で、フィルターアセンブリ２４を、例えば、オイル、燃料、冷却材、油圧油、またはエンジンと関連している他の流体を濾過するように構成することができる。
【０００９】
図１に提案されているように、流体フィルターアセンブリ２４は、フィルターモジュール１８をフィルターハウジング１６の一端に形成されている開放口２６（open mouth）を介してフィルターチャンバー２０内へ挿入して製作する。封止用リング１２と、フィルター保持器１４と、支持プレート２８（例示する実施例ではフィルター保持器１４とフィルターモジュール１８との間に配置される）と、を備える閉止体１０は、例えば図４に示すように、開放口２６でフィルターハウジング１６に結合されて、フィルターモジュール１８をフィルターチャンバー２０内に保持する。
【００１０】
図４に提案されているように、フィルターモジュール１８は、濾過流体領域３２を含んで形成された中心チューブ（center tube）３０と、濾過流体領域３２の中へ開いている複数のオイル排出開口３４とを含む。フィルターモジュール１８は、中心チューブ３０を囲んで中心チューブ３０に結合されている第一及び第二端部キャップ３８、４０の間の空間に置かれているひだ付きフィルター媒体３６（pleated filter media）を含む。本開示の範囲内には、あらゆる好適なフィルター媒体３６を収容しているあらゆる好適なフィルターモジュール１８を使用して、フィルターハウジング１６を通り流れているオイル（または他の流体）から汚染物質を濾過することが含まれる。例示する実施例では、第二端部キャップ４０はオイル排出スリーブ４２を含んで形成されて、図４に提案されているように、濾過オイル４４が中心チューブ３０の濾過流体領域３２から出てオイル排出スリーブ４２を通り、エンジン管４６を通りエンジンブロック２２へと流れる。
【００１１】
図５及び図６には、フィルター保持器１４の様々な特徴がより詳細に示されている。フィルター保持器１４は例示する実施例では金属製である。
【００１２】
フィルター保持器１４の半径方向内側部分５０（radially inner portion）は傾斜環状ランプ５２（inclined annular ramp）を含み、上方へ方向４８に延在するように配置される８つの円周上に離間している、一連の入口フロー案内スリーブ５４を含んで形成される。傾斜環状ランプ５２は円形内縁５６で終了する。半径方向内側部分５０は直立環状スリーブ５８を含み、直立環状スリーブ５８は傾斜環状ランプ５２の外側周辺部５９に結合されてそこから下方へ方向４９に延在するように配置されている。
【００１３】
図５及び図６に示されるように、フィルター保持器１４のリングマウント６０は、環状内側壁６１および外側壁６２と、内側壁６１および外側壁６２を連結するように配置されている環状天井壁６３（annular ceiling wall）とを含む。図６に最適に示されているように、この壁６１、６２、６３は協力して下方へ開いている環状チャネル６４を形成している。環状天井壁６３は、図５及び図６に提案されているように環状チャネル６４へ開くように配置されている、一連の（例えば、１２個の）円周上に離間している接続部開口６６を含んで形成される。各接続部開口６６は例示する実施例では長円形である。例えば図７から図９に示されているように、インサート成形処理の間に、プラスチック材料は、封止用リング１２を成形している間に環状チャネル６４と各接続部開口６６とに流れ込み、封止用リング１２をフィルター保持器１４のリングマウント６０に係止する。リングマウント６０は半径方向内側部分５０を囲むように配置されて、環状内壁６１の下部部分は直立環状スリーブ５８の下部部分にリム６８で結合されて、環状リングマウント６０を半径方向内側部分５０に対して固定位置に設置する。
【００１４】
フィルター保持器１４の外側支持プレート支持体７０は、傾斜環状ランプ７２と、傾斜環状ランプ７２を囲むように配置されてその外側周辺部に環状縁７３で結合している直立環状スリーブ７４（upright annular sleeve）とを含む。外側支持プレート支持体７０は環状リングマウント６０を囲むように配置されて、傾斜環状ランプ７２の下部部分は環状外側壁６２の下部部分にリム７６で結合されて、環状外側支持プレート支持体７０は環状リングマウント６０に対して固定位置に設置される。
【００１５】
フィルター保持器１４の半径方向外側環状ハウジングマウント８０は、例えば図６に示すように、環状プレート８２と、環状プレート８２の外側部分に結合している傾斜環状へり（inclined annular lip）８４とを含む。この環状ハウジングマウント８０は、図４で提案されるようにフィルターハウジング１６の周辺部分１７と結合して固定されるように操作することができ、閉止体１０のフィルター保持器１４をフィルターハウジング１６に結合させる。
【００１６】
支持プレート２８の種々の特徴は図６により詳細に示されている。支持プレート２８は例示する実施例では金属から製作されている。
【００１７】
図４及び図６に提案されているように、支持プレート２８のエンジンマウントスリーブ９０はエンジンチューブ４６（engine tube）と結合するように構成されている。このような結合は、濾過オイル４４をフィルターモジュール１８の濾過流体領域３２からエンジンブロック２２へ流れるようにしている。
【００１８】
支持プレート２８の環状内側保持器マウント１００は、フィルター保持器１４の半径方向内側部分５０に結合されている。例示するように、各々の入口フロー案内スリーブ５４は、内側保持器マウント１００に形成されている八つのオイル入口ポート１０２のうちの一つの中に延長するように配置されて、図４及び図５に提案されているように円周上に離間して配置されて、支持プレート２８とフィルター保持器１４との間に締りばめ結合を確立させる。側面１０３及び１０４はこの締めばりを生じさせるように選択される。各々の入口フロー案内スリーブ５４は図４に提案されているように未濾過オイル１０６を案内するように形成されて、エンジンブロック２２から未濾過オイル１０４を支持プレート２８に形成されているオイル入口ポート１０２を通りフィルターハウジング１６に形成されているフィルターチャンバー２０へ導く。本開示の範囲内には、入口フロー案内スリーブ５４を省略して、入口フロー案内スリーブ５４の位置においてフィルター保持器１４に形成されている少なくともいくつかのオイル入口ポート１０２及び開口部を介してピンを延在させて支持プレート２８をフィルター保持器１４に結合させて、支持プレート２８をフィルター保持器１４に対して適当に位置合わせして、支持プレート２８をフィルター保持器１４にスポット溶接かプロジェクション溶接することが含まれる。
【００１９】
支持プレート２８の環状半径方向外側保持器マウント１１０は、環状内側保持器マウント１００を囲み、フィルター保持器１４の環状リム７３と係合するように配置されている。外側保持器マウント１１０は、図６に提案されているように、内側保持器マウント１００に対して半径方向に離間して配置される。
【００２０】
図１及び図６に提案されているように、支持プレート２８の環状シート１２０は内側及び外側保持器マウント（inner and outer retainer mounts）１００、１１０の間に設置されている。環状シート１２０は、図４に提案されているようにフィルター保持器１４に係止されている封止用リング１２と係合するように配置されて、その間に気密結合を確立させる。
【００２１】
封止用リング１２は、上向き環状封止用ストリップ１３０（図５及び図６に示す）と、下向き環状封止用ストリップ１３２（図１〜図３、及び図６に示す）と、フィルター保持器１４のリングマウント６０に形成される環状チャネル６４及び接続部開口６６に配置されて上向き及び下向き環状封止用ストリップ１３０、１３２をフィルター保持器１４に係止する接続部１３４（図６に示す）と、を含む。下向き環状封止用ストリップ１３２は、環状内側壁及び外側壁６１、６２の下に、その間に形成されている環状チャネル６４の外側に配置される。接続部１３４は、環状チャネル６４に配置されて下向き環状封止用ストリップ１３２と結合する環状下部部分１３６を含む。接続部１３４は一組の接続部リンク１３８を備える上部部分を含み、各接続部リンク１３８は一つの接続部開口６６を介して延在して（図５及び６に提案される）、接続部１３４の環状下部部分１３６と上向き環状封止用ストリップ１３０とを連結させる。封止用リング１２は、例えば図６に示すように、ベル形の横断面形状を有する。
【００２２】
図６に示すように、各接続部リンク（connector link）１３８は接続部１３４の環状下部部分１３６の幅より狭い幅を有する。また、図６に提案されているように、下向き環状封止用ストリップ１３２の幅は、上向き環状封止用ストリップ１３０、各々の接続部リンク１３８、及び接続部１３４の環状下部部分１３６の幅より広い。
【００２３】
例えば図４に示すように、上向き環状封止用ストリップ１３０は支持プレート２８の環状シート１２０と結合してそれに対して封止するように配置され、下向き環状封止用ストリップ１３２はエンジンブロック２２の外面と結合してそれに対して封止するように配置される。従って、未濾過オイル１０６がエンジンブロック２２からフィルターチャンバー２０へ流れてフィルターモジュール１８へ達して、濾過オイル４４は中心チューブ３０の濾過流体領域３２から流れて、オイル排出スリーブ４２及びエンジンチューブ４６を介してエンジンブロック２２へと戻るという密封された接続が、エンジンブロック２２とオイルフィルターアセンブリ２４との間に確立される。
【００２４】
例示する処理においては、封止用リング１２は下記のとおりにフィルター保持器１４に係止される。例えば図７に示されているように、フィルター保持器１４はまず離れている上部及び下部金型部分１４２、１４４（upper and lower mold portions）との間の空間１４０に位置決めされる。例えば図８に示すように、金型移動機（mold mover）１４６は、上部及び下部モールド１４２、１４４を移動させて結合させるように使用されて、フィルター保持器１４の一部を収容する封止用リング金型キャビティ１４８（mold cavity）を形成する。そして、プラスチック材料注入機１５０を使用してプラスチック材料１５２を下部金型部分１４４に形成されているチャネルを通り注入して、例えば図９に示すように、封止用リング金型キャビティ１４８を充填して、フィルター保持器１４をプラスチック材料１５２でオーバーモールドして、フィルター保持器１４に係止される封止用リング１２を製作する。プラスチック材料１５２が金型キャビティ１４８を充填し始めると、フィルター保持器１４のリングマウント６０の周りに自由に流れて、環状封止用ストリップ１３０、１３２とを結合して封止用リング１２の機械式ロックを確立させる。フィルター保持器１４は固定手段６０を含み、固定手段６０はプラスチック材料１５２を金型キャビティ１４８で成形する間に、封止用リング１２をフィルター保持器１４の半径方向外側部分及び内側部分に対して所定の位置に係止して、封止用リング１２を製作して、封止用リング１２を支持プレート２８に含まれる環状シート１２０との係合を支持して、フィルター保持器１４の半径方向内側部分５０を支持プレート２８に結合することにより支持プレート２８と封止用リング１２との間の気密結合を確立させる。
【００２５】
図示により例示した特定の実施例を参照して本発明を詳細に説明したが、添付の請求の範囲に記載され画定される本発明の範囲及び精神の内に、多数の変更例及び変形例が存在する。
【図面の簡単な説明】
【００２６】
【図１】図１は、オイル等の流体を濾過する図２及び図４に示されている流体フィルターを製作するために組み立てられる部品の分解斜視組立図であり、部品は（上から下に）、フィルターハウジングと、フィルターハウジングに形成されているフィルターチャンバーに延長するフィルターモジュールと、フィルターモジュールの下にある円形支持プレートと、フィルター保持器に係止されて例えば図４に示すように流体フィルターとエンジンとの間に流体封止（fluid seal）を確立させるのに適応しているインサート成形封止用リングを保持する円形フィルター保持器と、を含む。
【図２】図２は、図１に示す流体フィルターの斜視図であり、フィルター保持器はフィルターハウジングの下部環状縁（lower annular edge）に結合されて、フィルターモジュールと支持プレートとをフィルターハウジングに保持することを示し、下向き環状封止用ストリップは封止用リングに含まれてフィルター保持器の外側に設置されて、図４に示すようにエンジンブロックの外面と係合される。
【図３】図３は、図２に示す流体フィルターの底面図であり、支持プレートに形成されている中心オイル出口ポートと、支持プレート及びフィルター保持器に確立されて中央オイル出口ポートを囲むように設置されている八つ一組のオイル入口ポートを示し、下向き環状封止用ストリップは八つのオイル入口ポートを囲むように設置されることが示される。
【図４】図４は、図３の線４−４に沿った断面図であり、オイルがオイル入口ポートの一つを通りフィルターハウジングへ流れてフィルターモジュールを通って中心出口ポートを介してフィルターハウジングから出ることを示し、下向き環状封止用ストリップとエンジンとの係合を示し、フィルター保持器と、封止用リングと、支持プレートと、が協力して、フィルターチャンバー内への開口部でフィルターハウジングと係合している閉止体を形成してフィルターモジュールをフィルターチャンバーに保持することが示される。
【図５】図５は、フィルター保持器と、フィルター保持器に係止されている約４分の３の封止用リングとの拡大斜視図であり、上向き環状封止用ストリップの一部が封止用リングに含まれて、１２個の接続部リンクのうち２個の接続部リンクの部分が封止用リングに含まれて、フィルター保持器に形成されている接続部開口を通るように配置されて、上向き環状封止用ストリップの下向き環状封止用ストリップとの結合を促進させる。
【図６】図６は、部分的に破断している、フィルター保持器と、「ベル形」封止用リングと、支持プレートとの拡大断面図であり、支持プレートがフィルター保持器に結合される前であり、接続部リンクの一つが接続部の上部部分に含まれて接続部開口の一つを介して延長して上向き環状封止用ストリップに達するように配置されるのを示し、接続部の下部部分はフィルター保持器に設けられたリングマウントに形成されている環状チャネルに配置されて下向き環状封止用ストリップと結合することを示している。
【図７】図７〜図９は一連のインサート成形工程を示しており、封止用リングはフィルター保持器を収容している金型キャビティで成形されて、封止用リングをフィルター保持器に係止する。上部金型部分と、上部金型部分と離間して配置される下部金型部分と、を有するプラスチックインジェクション金型の断面図であり、予備成形された金属フィルター保持器が「開いている」上部及び下部金型部分との間に設けられた空間に移動した後を示している。
【図８】一連のインサート成形工程を示しており、封止用リングはフィルター保持器を収容している金型キャビティで成形されて、封止用リングをフィルター保持器に係止する。図７に示す金型の断面図であり、上部及び下部金型部分が結合するように移動してフィルター保持器を収容する金型キャビティを形成している。
【図９】一連のインサート成形工程を示しており、封止用リングはフィルター保持器を収容している金型キャビティで成形されて、封止用リングをフィルター保持器に係止する。図８と同様の断面図であり、プラスチック材料注入機でプラスチック材料を上部金型部分に形成されているチャネルへ注入して、金型キャビティを充填してプラスチック材料をフィルター保持器にオーバーモールドして、フィルター保持器に係止されている封止用リングを形成することが示されている。
【符号の説明】
【００２７】
１０  流体フィルター閉止体
１２  封止用リング
１４  フィルター保持器
１６  フィルターハウジング
１８  フィルターモジュール
２０  フィルターチャンバー
２４  流体フィルターアセンブリ
６６  接続部開口
１３０  上向き環状封止用ストリップ
１３２  下向き環状封止用ストリップ
１３４  接続部
【図１】
2005524794.tif 000003
【図２】
2005524794.tif 000004
【図３】
2005524794.tif 000005
【図４】
2005524794.tif 000006
【図５】
2005524794.tif 000007
【図６】
2005524794.tif 000008
【図７】
2005524794.tif 000009
【図８】
2005524794.tif 000010
【図９】
2005524794.tif 000011
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
流体フィルターアセンブリであって、
フィルターチャンバーと前記フィルターチャンバーへの開口部とを含んで形成されているフィルターハウジングと、
前記フィルターチャンバーに設置されているフィルターモジュールと、
前記フィルターモジュールを前記フィルターチャンバー内に保持するように、前記フィルターハウジングに前記開口部で結合される閉止体と、
を備え、
前記閉止体は、前記フィルターハウジングに結合しているフィルター保持器を含み、少なくとも一つの接続部開口と前記フィルター保持器に結合されている封止用リングとを含んで形成されており、
前記封止用リングは、前記フィルター保持器の一方の側に配置されて前記フィルターモジュールに上向きに対向している上向き環状封止用ストリップと、前記フィルター保持器の反対側に配置されて前記フィルターモジュールとは反対のほうを向いている下向き環状封止用ストリップと、前記上向き及び下向き環状ストリップを前記フィルター保持器に固定すべく前記フィルター保持器に形成されている各々の接続部開口を通って延長するように設けられている接続部と、を含み、
前記閉止体は、前記フィルターモジュールと前記フィルター保持器との間に配置され、前記封止用リングとは別個の支持プレートを含み、
前記支持プレートは、流体を前記フィルターチャンバーに流入させる入口ポートと、流体を前記フィルターチャンバーから排出する出口ポートとを含んで形成され、
前記支持プレートは、前記上向き環状封止用ストリップがこれと係合して前記支持プレートと前記封止用リングとの間に気密結合を確立させる環状シートを含み、
前記上向き環状封止用ストリップは前記入口ポートの半径方向外側に配置される。
【請求項２】
請求項１に記載のフィルターアセンブリであって、前記封止用リングはベル形横断面形状を有する。
【請求項３】
請求項１に記載のフィルターアセンブリであって、
前記フィルター保持器は、各々の前記接続部開口と各々の前記接続部開口の下にあってそれらと連結している環状チャネルとを含んで形成されているリングマウントを含み、
前記接続部は、前記環状チャネルに配置されて前記下向き環状封止用ストリップと結合する環状下部部分と、接続部リンクを一組備える上部部分と、を含み、
各々の前記接続部リンクは前記リングマウントに形成されている前記接続部開口の一つを通って延長して、前記接続部の前記環状下部部分を前記上向き環状封止用ストリップに連結させる。
【請求項４】
請求項３に記載のフィルターアセンブリであって、
前記リングマウントは、前記環状チャネルの境界を規定する環状天井壁（annular ceiling wall）を含み、円周上に離間している複数の前記接続部開口を含むように形成されており、
円周上に離間している各々の前記接続部開口は前記接続部リンクの一つを含む。
【請求項５】
請求項４に記載のフィルターアセンブリであって、
前記リングマウントはさらに、前記環状天井壁に結合している環状内側壁と、前記環状天井壁に結合するとともに前記環状外側壁との間に前記環状チャネルを形成すべくこれを囲むように配置されてその内部に前記接続部の前記環状下部部分を収容する環状外側壁とを含み、
前記下向き環状封止用ストリップは、前記環状内側壁及び外側壁の下であってその間に形成される前記環状チャネルの外側に配置される。
【請求項６】
請求項３に記載のフィルターアセンブリであって、
前記フィルター保持器は、前記フィルターチャンバーの前記開口部で前記フィルターハウジングに結合されている半径方向外側環状ハウジングマウントと、前記フィルターチャンバーにオイルを流入させるように配置された少なくとも一つのオイル入口開口を含んで形成される半径方向内側部分と、を更に含み、
前記リングマウントは、前記半径方向外側環状ハウジングマウントと前記半径方向内側部分との間に位置するように配置される。
【請求項７】
請求項６に記載のフィルターアセンブリであって、
前記支持プレートは、前記フィルター保持器の前記半径方向内側部分に結合している内側保持器マウントと、前記内側保持器マウントを囲むように配置されている半径方向外側保持器マウントと、を含み、前記環状シートは前記外側及び内側保持器マウントの間に設置される。
【請求項８】
請求項７に記載のフィルターアセンブリであって、
前記フィルター保持器は、前記半径方向外側環状ハウジングマウントと前記リングマウントとの間に設置される外側支持プレート支持体（outer bearing plate support）を更に含み、
前記外側支持プレート支持体は、前記支持プレートの前記半径方向外側保持器マウントと係合するように配置される。
【請求項９】
請求項３に記載のフィルターアセンブリであって、
各々の前記接続部リンクは、前記接続部の前記環状下部部分の幅より狭い幅を有する。
【請求項１０】
請求項９に記載のフィルターアセンブリであって、
前記上向き環状封止用ストリップの幅と前記下向き環状封止用ストリップの幅とは、前記上向き環状封止用ストリップの幅、各々の前記接続部リンクの幅、及び前記接続部の前記環状下部部分の幅より広い。
【請求項１１】
請求項１に記載のフィルターアセンブリであって、
前記支持プレートは、オイルを前記フィルターチャンバーに流入させ前記フィルターモジュールを通って流れるように配置される複数のオイル入口ポートと、を含んで形成されており、
前記環状シートは前記オイル入口ポートを囲むように配置されて、
前記フィルター保持器は、複数の入口フロー案内スリーブ（inlet flow conductor sleeves）を含むように形成される半径方向内側部分を含み、
各々の入口フロー案内スリーブは、前記支持プレートに形成される前記オイル入口ポートの一つの中へ延伸するように配置されて、前記支持プレートを前記フィルター保持器の固定位置に係止すべく前記支持プレートと前記フィルター保持器との間に締りばめ結合を確立させて、
各々の前記入口フロー案内スリーブは、前記オイル入口ポートを通して前記フィルターチャンバーにオイルを流入させるべく、オイルを通過させて案内するように形成され、
前記封止用リングは、前記フィルター保持器の固定位置に係止されて、前記上向き環状封止用ストリップを前記支持プレートに含まれる前記環状シートに係合させる。
【請求項１２】
請求項１１に記載のフィルターアセンブリであって、
前記支持プレートは、前記環状シートを囲むように配置される半径方向外側保持器マウントを更に含み、
前記フィルター保持器は、前記フィルターチャンバーへの前記開口において前記フィルターハウジングに結合している半径方向外側環状ハウジングマウントと、前記封止用リングと前記半径方向外側環状ハウジングマウントとの間に設置されている外側支持プレート支持体とを含み、
前記外側支持プレートは、前記支持プレートの前記半径方向外側マウントと係合するように配置される。
【国際調査報告】
2005524794.tif 000012